(57)【要約】【課題】本発明は、鍵機能を有しない回転式のハンドルを有するラック扉において、ラック扉を改造することなく、容易に南京錠にて施錠することが出来るラック扉の施錠構造を提供することである。【解決手段】観音開きのラック扉２の右扉２ｂは回動軸３を中心に回転するハンドル４と、このハンドル４の回動軸３に固定された止め金具５とを有する。左扉２ａは止め金具５が挿入される穴６を有する。ハンドル４の回転に連動して止め金具５が回転することで、止め金具５が穴６に出し入れ可能に挿入される。止め金具５が穴６に挿入されることで、ラック扉２が閉じた状態で保持され、ハンドル４の回転により、止め金具５が穴６から引き出されることでラック扉２を開く動作が可能になる。このラック扉２に装着され、ラック扉２が閉じた状態で穴６に挿入された止め金具５が穴６から引き出される動作を規制する引き出し動作規制部２１を左扉２ａに着脱可能に設けた。【選択図】図１
2014211050.tif 000002
【特許請求の範囲】
【請求項１】
電子機器を搭載するラックの前面開口部に配置された第１の扉と第２の扉とを開閉可能に支持させた観音開きの扉構造のラック扉であって、
前記第１の扉は回動軸を中心に回転するハンドルと、このハンドルの前記回動軸に固定された止め部材とを有し、前記第２の扉は前記止め部材が挿入される係合凹部を有し、前記ハンドルの回転に連動して前記止め部材が回転することで、前記止め部材が前記係合凹部に出し入れ可能に挿入され、
前記止め部材が前記係合凹部に挿入されることで、前記ラック扉が閉じた状態で保持され、前記ハンドルの回転により、前記止め部材が前記係合凹部から引き出されることで前記ラック扉を開く動作が可能になるラック扉に装着され、
前記ラック扉が閉じた状態で前記係合凹部に挿入された前記止め部材が前記係合凹部から引き出される動作を規制する引き出し動作規制部を前記第２の扉に着脱可能に設けたことを特徴とするラック扉の施錠構造。
【請求項２】
前記引き出し動作規制部は、前記第２の扉に着脱可能に固定される固定部材と、前記止め部材が前記係合凹部から引き出される動作を規制する規制部材とを有し、
前記規制部材は前記固定部材に回動可能に連結される回動端部と、前記回動端部を中心に前記止め部材が前記係合凹部から引き出される動作を規制する規制位置と前記規制位置から外れた規制解除位置との間で回動可能になっている規制端部とを有することを特徴とする請求項１に記載のラック扉の施錠構造。
【請求項３】
前記引き出し動作規制部は、前記規制部材が前記規制位置に移動された状態で前記固定部材と前記規制部材とが重なり合う重なり部を有し、
前記固定部材と前記規制部材との重なり部に南京錠が取り付けられる南京錠取り付け穴が設けられていることを特徴とする請求項２に記載のラック扉の施錠構造。
【請求項４】
前記南京錠は、鍵掛けの対象物に引っ掛け状態で係止する掛け金部材と、錠前機構が内蔵された本体とを有し、
前記錠前機構は、数字や文字が並んだダイヤルが複数、並設され、前記ダイヤルの数字や文字を正しく組み合わせることで開錠するダイヤル式の施錠部を有し、
前記ダイヤル式の施錠部の操作によって前記掛け金部材の少なくとも一部が前記本体から離間して前記南京錠取り付け穴に挿脱されることを特徴とする請求項３に記載のラック扉の施錠構造。
【請求項５】
前記固定部材は、平板部をほぼＵ字状に屈曲させたＵ字状屈曲部を有し、
前記Ｕ字状屈曲部は、離間対向する平行な一対の平面の一方の第１の平面側に前記第２の扉の端縁の縦枠部に接離可能に接合される接合面が形成され、
前記一対の平面の他方の第２の平面側に前記第１の平面を縦枠部に圧接する方向に押圧する押圧手段を有し、
前記押圧手段の操作によって前記引き出し動作規制部が前記第２の扉に係脱可能に係止されることを特徴とする請求項２に記載のラック扉の施錠構造。
【請求項６】
前記押圧手段は、ねじ込み式の固定ねじを有することを特徴とする請求項５に記載のラック扉の施錠構造。
【発明の詳細な説明】
【技術分野】
【０００１】
本発明の実施形態は、ラック扉の施錠構造に関する。
【背景技術】
【０００２】
電子機器や基板を搭載するラックの扉構造として、図８に示すようにラック１の前面開口部に配置された２枚の扉（左扉（第１の扉）２ａおよび右扉（第２の扉）２ｂ）を中央から両側に開閉可能に支持させた観音開きの扉構造のラック扉２が知られている。図９はラック扉２の左扉２ａと右扉２ｂとを開いた状態を示す斜視図である。この観音開きの扉構造のラック扉２では、左右の扉の一方、例えば右扉２ｂに回動軸３（図１１参照）を中心に回転するハンドル４を有する。
【０００３】
図１０に示すようにこのハンドル４の裏側に回動軸３の一端が固定されている。この回動軸３の他端部には止め金具（止め部材）５が固定されている。止め金具５には、２つの円孔６ａ、６ｂが形成されている。一方の円孔６ａには、回動軸３の端部に突設された位置合わせ用のピン３ａが挿入され、他方の円孔６ｂには、止め金具固定用のねじ３ｂが挿入されるようになっている。ねじ３ｂの先端は回動軸３の端部に形成された図示しないねじ穴に螺着されている。そして、ハンドル４の回転に連動して止め金具５が一緒に回転する構造になっている。なお、右扉２ｂにはハンドル４の裏側部品である回動軸３を回動可能に軸支する図示しない軸支部と、止め金具５を収容するとともに、回動軸３を中心に回動する止め金具５の回動動作を許容する図示しない収容空間とが形成されている。さらに、右扉２ｂにおける左扉２ａとの対向面には、止め金具５を右扉２ｂの収容空間内から外部側に出し入れさせる長方形状の開口部２ｂ１が形成されている。
【０００４】
また、図９に示すように左扉２ａには止め金具５が挿入される長方形状の穴（係合凹部）６を有している。ハンドル４の回転により、止め金具５が左扉２ａの穴６に出し入れ可能に挿入される。そして、止め金具５を左扉２ａの穴６に挿入させて、止め金具５を穴６に引っ掛けることでラック扉２が閉じた状態で保持され、施錠の役目を果たしている。また、ハンドル４の回転により、止め金具５が左扉２ａの穴６から引き出されることでラック扉２を開く動作が可能になる。
【０００５】
さらに、ラック扉２を開かなくする扉の施錠手段の一例として、ハンドル４の本体に鍵穴部７を有する鍵機構部８を内蔵させる方法がある。ここでは、鍵穴部７に図示しない鍵を挿入して鍵を掛けることにより、ハンドル４そのものの回転を抑制し、ラック扉２を開かなくしている。
【０００６】
また、図１２は扉の施錠手段の他の一例を示す。ここでは、左扉２ａおよび右扉２ｂの表面にそれぞれＬ字状の追加金具９ａ、９ｂを固定し、左右の扉２ａ、２ｂを閉じた際にＬ字状追加金具９ａ、９ｂを突き当て、この突き当て部９ｃに南京錠１０の挿入穴９ｄを設けた構造のものがある。この場合は、左右の扉２ａ、２ｂを閉じた際にＬ字状追加金具９ａ、９ｂの突き当て部９ｃの挿入穴９ｄに外部の南京錠１０の掛け金部１０ａを差し込むことで強制的にラック扉２を開かなくする構成にしている。
【先行技術文献】
【特許文献】
【０００７】
【特許文献１】特開２０１２−４１７３５号公報
【発明の概要】
【発明が解決しようとする課題】
【０００８】
ハンドル４に付属される鍵穴部７にこの鍵穴部７とは別体の図示しない鍵を挿入して鍵を掛ける扉の施錠手段では鍵穴部７とは別体の鍵の管理が必要となる。そして、鍵穴部７とは別体の鍵を紛失するとラック扉２を開けられなくなる問題がある。
【０００９】
また、図１２に示すように数字や文字が並んだダイヤルを複数、並設し、ダイヤルの数字や文字を正しく組み合わせることで開錠する構成のダイヤル式の南京錠１０を使用した扉の施錠手段もある。この場合は鍵の管理は必要としないが、最初から南京錠１０をかけられるラック構造にしておく必要がある。そして、既設のラック扉２にあとから南京錠１０による施錠をする場合、ラック扉２を改造して左扉２ａおよび右扉２ｂの表面にそれぞれ南京錠１０をかけるためのＬ字状の追加金具９ａ、９ｂを固定する必要がある。そのため、大幅な手間とコストと時間がかかる可能性がある。
【００１０】
本実施形態は上記事情に着目してなされたもので、鍵機能を有しない回転式のハンドルを有するラック扉において、ラック扉を改造することなく、容易に南京錠にて施錠することが出来るラック扉の施錠構造を提供することにある。
【課題を解決するための手段】
【００１１】
実施形態によれば、観音開きの扉構造のラック扉の一方の第１の扉は回動軸を中心に回転するハンドルと、このハンドルの前記回動軸に固定された止め部材とを有する。他方の第２の扉は前記止め部材が挿入される係合凹部を有する。前記ハンドルの回転に連動して前記止め部材が回転することで、前記止め部材が前記係合凹部に出し入れ可能に挿入される。ここで、前記止め部材が前記係合凹部に挿入されることで、前記ラック扉が閉じた状態で保持され、前記ハンドルの回転により、前記止め部材が前記係合凹部から引き出されることで前記ラック扉を開く動作が可能になる。このラック扉に装着され、前記ラック扉が閉じた状態で前記係合凹部に挿入された前記止め部材が前記係合凹部から引き出される動作を規制する引き出し動作規制部を前記第２の扉に着脱可能に設けたものである。
【図面の簡単な説明】
【００１２】
【図１】第１の実施の形態のラック扉の施錠構造にかかる引き出し動作規制部の組み付け前の状態を示す斜視図。
【図２】第１の実施の形態のラック扉の施錠構造にかかる引き出し動作規制部の組み付け状態を示す要部の縦断面図。
【図３】第１の実施の形態のラック扉の第１の扉と第２の扉とを開いた状態を示す斜視図。
【図４】第１の実施の形態のラック扉の施錠構造にかかる引き出し動作規制部の規制部材が規制解除位置で保持されている状態を示す側面からの透視図。
【図５】第１の実施の形態のラック扉の施錠構造にかかる引き出し動作規制部の規制部材が規制位置に回動した動作状態を示す側面からの透視図。
【図６】第１の実施の形態のラック扉の第１の扉と第２の扉とを閉じた状態で引き出し動作規制部の規制部材が規制位置に回動した動作状態を示す正面からの透視図。
【図７】第１の実施の形態のラック扉の施錠構造にかかる引き出し動作規制部の固定部材と規制部材との重なり部に南京錠が取り付けられている状態を示す斜視図。
【図８】ラック扉の第１の扉と第２の扉とを閉じた状態を示す正面図。
【図９】ラック扉の第１の扉と第２の扉とを開いた状態を示す斜視図。
【図１０】ラック扉の第１の扉のハンドルと止め部材との組み付け前の状態を示す斜視図。
【図１１】ラック扉の第１の扉のハンドルと止め部材との組み付け状態を示す斜視図。
【図１２】ラック扉の第１の扉と第２の扉とを閉じた状態で南京錠が取り付けられている状態を示す斜視図。
【発明を実施するための形態】
【００１３】
［第１の実施の形態］  
（構成）  
図１乃至図７は、第１の実施の形態を示す。本実施の形態は、図８および図９に示すように観音開きの扉構造のラック扉２に装着される新規な施錠構造を設けたものである。なお、観音開きの扉構造のラック扉２の基本構造は図８および図９と同様の構成になっているので、図１乃至図７中で、図８乃至図１２と同一部分には同一の符号を付してその説明を省略する。
【００１４】
本実施の形態では、ラック扉２の左扉２ａに図１に示すようにハンドル４の回転と連動する止め金具５の動きを抑制する引き出し動作規制部２１が設けられている。この引き出し動作規制部２１は、左扉２ａに着脱可能に固定される固定金具である固定部材２２と、止め金具５が左扉２ａの穴６から引き出されることを規制する規制部材２３とを有する。
【００１５】
固定部材２２は、ほぼＬ字状のＬ字状平板部２４と、このＬ字状平板部２４の一端部をほぼＵ字状に屈曲させたＵ字状屈曲部２５とを有する。Ｕ字状屈曲部２５は、離間対向する平行な一対の平板部（第１の平板部２５ａと第２の平板部２５ｂ）を有する。第１の平板部２５ａと第２の平板部２５ｂとの間は平板状の連結部２５ｃによって連結されている。一方の第１の平板部２５ａ側には、左扉２ａの端縁の縦枠部２ａ１に接離可能に接合される接合面が形成されている。他方の第２の平板部２５ｂ側には、第１の平板部２５ａの接合面を縦枠部２ａ１に圧接する方向に押圧する押圧手段２６を有する。
【００１６】
本実施の形態では押圧手段２６は、図１に示すようにねじ込み式の固定ねじ２７を有する。図２に示すように第２の平板部２５ｂ側には、この固定ねじ２７と螺合するねじ穴部２５ｂ１が形成されている。そして、第２の平板部２５ｂのねじ穴部２５ｂ１に固定ねじ２７をねじ込むことで、固定ねじ２７の先端を左扉２ａの端縁の縦枠部２ａ１に圧接させる。これにより、固定ねじ２７のねじ込み操作によって引き出し動作規制部２１が左扉２ａに係脱可能に係止される。このとき、左扉２ａの端縁の縦枠部２ａ１が固定ねじ２７の先端と第１の平板部２５ａの接合面との間に挟持される状態で、固定部材２２が左扉２ａの端縁の縦枠部２ａ１に固定される。
【００１７】
さらに、固定部材２２のＬ字状平板部２４には、Ｕ字状屈曲部２５と反対側に下向きに屈曲された下向き屈曲部２４ａが形成されている。この下向き屈曲部２４ａには、上端側に規制部材２３の回動支点２８、下端側に後述する南京錠２９（図７参照）が取り付けられる南京錠取り付け穴３０がそれぞれ設けられている。
【００１８】
規制部材２３は、全体がほぼＬ字状の金具であるＬ字板３１を有する。このＬ字板３１は２つの直線部（第１直線部３１ａと第２直線部３１ｂ）がほぼ直角に配置された状態で形成されている。第１直線部３１ａの先端部（第２直線部３１ｂとの接合部とは反対側の端部）は、例えばカシメ材やピン等からなる回動支点２８を介して固定部材２２のＬ字状平板部２４と回動可能に連結されて固定部材２２に回動可能に連結される回動端部３２が形成されている。また、第２直線部３１ｂの先端部には止め金具５が左扉２ａの穴６から引き出される動作を規制する規制端部３３が形成されている。すなわち、規制部材２３は、固定部材２２に回動支点２８を介して取り付く構造になっており、回動支点２８を中心に規制部材２３は回転する構造である。
【００１９】
この規制部材２３は、図５中に実線で示すように第２直線部３１ｂの先端の規制端部３３が左扉２ａの穴６の開口面における止め金具５の移動軌道と対応する位置に移動されることで規制端部３３が、左扉２ａの穴６に挿入されている止め金具５の移動を規制する。この状態で、右扉２ｂのハンドル４を回動させた場合には、止め金具５が規制部材２３の規制端部３３と当接することで、止め金具５の移動が止まり、ハンドル４の回動が規制されるようになっている。これにより、止め金具５が左扉２ａの穴６から引き出される動作を規制する。
【００２０】
さらに、規制部材２３には、この規制部材２３が図５中に実線で示す規制位置に移動された状態で固定部材２２と規制部材２３とが重なり合う重なり部３４を有する。この重なり部３４は、第１直線部３１ａと第２直線部３１ｂとの連結部３１ｃに形成されている。そして、この固定部材２２と規制部材２３との重なり部３４に南京錠取り付け穴３５が設けられている。この規制部材２３の南京錠取り付け穴３５は、固定部材２２の南京錠取り付け穴３０と対応する位置に配置されている。
【００２１】
また、規制部材２３の第１直線部３１ａには、基端部側の外縁部に舌片からなる取っ手部３６が規制部材２３の板面に対してほぼ直角に屈曲形成されている。そして、この取っ手部３６に手指などを掛けることで、規制部材２３を規制位置（図５参照）と規制位置から外れた規制解除位置（図４や図５中の仮想線位置を参照）との間で回動端部３２を中心に回動させることが可能になっている。
【００２２】
図７に示すように南京錠２９は、鍵掛けの対象物に引っ掛け状態で係止するほぼＵ字状の掛け金部材３７ａと、図示しない錠前機構が内蔵された本体３７とを有する。錠前機構は、例えばダイヤル式の施錠部３８を有する。ダイヤル式の施錠部３８は、数字や文字が並んだダイヤル３９が複数、並設され、ダイヤル３９の数字や文字を正しく組み合わせることで開錠する。ここで、ダイヤル式の施錠部の操作によって掛け金部材３７ａの少なくとも一部が本体３７から離間して南京錠取り付け穴３０，３５に挿脱される。そして、南京錠取り付け穴３０，３５に南京錠２９の掛け金部材３７ａが挿入された状態で、掛け金部材３７ａの両端が本体３７に係止されることで南京錠２９が引き出し動作規制部２１に取り付けられるようになっている。
【００２３】
（作用）  
次に、上記構成の作用について説明する。本実施の形態のラック扉２の施錠構造は、図３に示すようにラック扉２の左扉２ａに引き出し動作規制部２１を取付けて使用される。このとき、引き出し動作規制部２１は、図１中に矢印で示すように固定部材２２のＵ字状屈曲部２５を左扉２ａの縦枠部２ａ１にスライドして取付け、固定ねじ２７で固定できる構造となっている（図２参照）。ここで、固定部材２２のＵ字状屈曲部２５は、第１の平板部２５ａと第２の平板部２５ｂとの間の間隔が左扉２ａの縦枠部２ａ１の厚さよりも大きくなるように設定されている。これにより、固定部材２２のＵ字状屈曲部２５が取り付けられる左扉２ａの縦枠部２ａ１の厚みに幅を持たせている。なお、引き出し動作規制部２１の取付け時には例えば規制部材２３は、予め規制解除位置（図４や図５中の仮想線位置を参照）で保持されていることが好ましい。ここで、規制部材２３は、必ずしも予め規制解除位置（図４や図５中の仮想線位置を参照）で保持されている必要はなく、少なくともハンドル４を回転させて止め金具５を左扉２ａの穴６に挿入させる前に、規制部材２３が規制解除位置に移動されている構成にしてもよい。
【００２４】
引き出し動作規制部２１の取付け後、ラック扉２の左扉２ａと右扉２ｂとを閉じることでラック１の前面開口部を閉塞する。このとき、左扉２ａと右扉２ｂとを閉じた状態で、ハンドル４を回転させてハンドル４の裏側部品である回動軸３と一緒に止め金具５を回動軸３を中心に回動させる。これにより、止め金具５を左扉２ａの穴６に挿入させて、止め金具５を穴６に引っ掛けることでラック扉２が閉じた状態で保持され、施錠される。
【００２５】
続いて、引き出し動作規制部２１が作動される。この引き出し動作規制部２１の作動時には、固定部材２２に対して規制部材２３が回動支点２８を中心に図５中に実線で示す規制位置に移動される。この操作により、規制部材２３を回転させて止め金具５の下側に規制部材２３の規制端部３３を滑り込ませる。これにより、図５中に実線で示すように規制部材２３の規制端部３３が左扉２ａの穴６の開口面における止め金具５の移動軌道と対応する位置に移動される。そのため、規制端部３３が、左扉２ａの穴６に挿入されている止め金具５の移動を規制する。
【００２６】
その後、固定部材２２と規制部材２３とが重なり合う重なり部３４の位置で、規制部材２３の南京錠取り付け穴３５と固定部材２２の南京錠取り付け穴３０とに南京錠２９の掛け金部材３７ａが挿入される。この状態で、掛け金部材３７ａの両端が本体３７に係止されたのち、ダイヤル式の施錠部３８が操作されることで図７に示すように南京錠２９が引き出し動作規制部２１に取り付けられて施錠される。これにより、規制部材２３が固定部材２２に南京錠２９にて固定されることにより、ハンドル４の止め金具５は動きを抑制され、ラック扉２を施錠することが出来る。
【００２７】
（効果）  
上記構成の本実施の形態のラック扉の施錠構造あっては、観音開きのラック扉２に装着され、ラック扉２が閉じた状態で穴６に挿入された止め金具５が穴６から引き出される動作を規制する引き出し動作規制部２１を左扉２ａに着脱可能に設けている。これにより、鍵機能を有しない回転式のハンドル４を有するラック扉２において、ラック扉２を改造することなく、容易に南京錠２９にて施錠することが出来る効果を奏する。
【００２８】
さらに、本実施の形態では、南京錠２９の錠前機構は、数字や文字が並んだダイヤル３９が複数、並設され、ダイヤル３９の数字や文字を正しく組み合わせることで開錠するダイヤル式の施錠部３８を有する。そのため、鍵の管理が不要となり、鍵を紛失してラック扉２を開けられなくなるおそれもない。
【００２９】
なお、上記実施形態では、引き出し動作規制部２１をラック扉２の左扉２ａに固定する固定手段として固定ねじ２７のねじ込み操作によって引き出し動作規制部２１が左扉２ａに係脱可能に係止される構成を示したが、引き出し動作規制部２１の固定手段は必ずしもこれに限定されるものではない。例えば、板ばねや、くさび作用などを組み合わせて引き出し動作規制部２１が左扉２ａに係脱可能に係止される係止機構によって固定ねじを省略した構成にしてもよい。さらに、南京錠２９の錠前機構も例えばメモリーを有する電子チップと、数字キーのキーボードなどを備え、キーボードの数字や文字を正しく組み合わせることで開錠する電子式の鍵構造にしてもよい。
【００３０】
上記実施形態によれば、鍵機能を有しない回転式のハンドルを有するラック扉において、ラック扉を改造することなく、容易に南京錠にて施錠することが出来るラック扉の施錠構造を提供することができる。
【００３１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３２】
２…ラック扉、２ａ…左扉（第２の扉）、２ｂ…右扉（第１の扉）、３…回動軸、４…ハンドル、５…止め金具（止め部材）、６…穴（係合凹部）、２１…引き出し動作規制部。
【図１】
2014211050.tif 000003
【図２】
2014211050.tif 000004
【図３】
2014211050.tif 000005
【図４】
2014211050.tif 000006
【図５】
2014211050.tif 000007
【図６】
2014211050.tif 000008
【図７】
2014211050.tif 000009
【図８】
2014211050.tif 000010
【図９】
2014211050.tif 000011
【図１０】
2014211050.tif 000012
【図１１】
2014211050.tif 000013
【図１２】
2014211050.tif 000014